(57)【要約】【課題】  専用の直進規制部を用いることなく、複数のレンズ群を効率的に直進保持すること。【解決手段】３つのレンズ部１、３、５及びそれらのレンズ保持部２、４、６を備えたレンズ鏡筒において、内周部及び外周部にカム溝を具備する第１カム筒部７を設け、その内周に第２レンズ保持部４及び第３レンズ保持部６を配置する。第３レンズ保持部６については第１カム筒部７の外周に配置された第２カム筒部８により直進可能な状態に保持する。そして第３レンズ保持部６により第２レンズ保持部４を直進可能な状態に保持し、第２レンズ保持部４によって、第１カム筒部７の外周に配置される第１レンズ保持部２を直進可能な状態に保持する。【選択図】  図１
2010156870.tif 000002
【特許請求の範囲】
【請求項１】
複数のレンズ手段及び該レンズ手段をそれぞれ保持する複数のレンズ保持手段と、第１カム筒手段及び第２カム筒手段を備えたレンズ鏡筒であって、
前記第１カム筒手段の内周に形成されたカム溝手段によって前記レンズ保持手段をレンズ鏡筒の光軸方向に移動させ、また前記第１カム筒手段の外周に形成されたカム溝手段によってさらに別のレンズ保持手段をレンズ鏡筒の光軸方向に移動させ、
前記第１カム筒手段の外周に前記第２カム筒手段を配置し、該第２カム筒手段の内周に形成されるカム溝手段によって前記第１カム筒手段を前記光軸方向に移動させるように構成し、
前記第１カム筒手段の内周に配置されたレンズ保持手段及び前記第２カム筒手段には、互いに対をなして対応する被直進規制手段及び直進規制手段をそれぞれに設けることで、該レンズ保持手段の移動方向を前記光軸方向に対して平行な方向に規制し、
前記第１カム筒手段の外周に配置されたレンズ保持手段及び前記第１カム筒手段の内周に配置されたレンズ保持手段には、互いに対をなして対応する被直進規制手段及び直進規制手段をそれぞれに設けることで、前記第１カム筒手段の外周に配置されたレンズ保持手段の移動方向を前記光軸方向に対して平行な方向に規制する、ことを特徴とするレンズ鏡筒。
【請求項２】
前記複数のレンズ手段が第１レンズ手段と、第２レンズ手段と、第３レンズ手段からなり、前記複数のレンズ保持手段が、前記第１レンズ手段を保持する第１レンズ保持手段と、前記第２レンズ手段を保持する第２レンズ保持手段と、前記第３レンズ手段を保持する第３レンズ保持手段からなる構成とし、
前記第１カム筒手段の内周には前記第２レンズ保持手段及び前記第３レンズ保持手段をそれぞれ前記光軸方向に移動させるための第２カム溝手段及び第３カム溝手段を備え、前記第１カム筒手段の外周には前記第１レンズ保持手段を前記光軸方向に移動させるための第１カム溝手段を備え、前記第２カム筒手段の内周には前記第１カム筒手段を前記光軸方向に移動させるためのカム溝手段を備えており、
前記第３レンズ保持手段に被直進規制手段を設けるとともに、該被直進規制手段に対応した直進規制手段を前記第２カム筒手段の内周に設け、
前記第２レンズ保持手段に被直進規制手段を設けるとともに、該被直進規制手段に対応した直進規制手段を前記第３レンズ保持手段に設け、
前記第１レンズ保持手段に被直進規制手段を設けるとともに、該被直進規制手段に対応した直進規制手段を前記第２レンズ保持手段に設けた、ことを特徴とする請求項１に記載のレンズ鏡筒。
【請求項３】
前記第１カム筒手段が、前記直進規制手段を退避させるための退避手段を具備することを特徴とする請求項２に記載のレンズ鏡筒。
【請求項４】
前記第１カム筒手段の外周にカム筒保護手段を配置したことを特徴とする請求項２又は３に記載のレンズ鏡筒。
【請求項５】
請求項１から４のいずれか１項に記載したレンズ鏡筒を備えることを特徴とする撮影装置。
【発明の詳細な説明】
【技術分野】
【０００１】
本発明はフィルムカメラやデジタルカメラ等に備えられたレンズ鏡筒と、該レンズ鏡筒を備えた撮影装置に関する。
【背景技術】
【０００２】
従来から銀塩フィルムを用いるフィルムカメラは広く普及しているが、近年、フィルムを使用せずに画像データをメモリに取り込むことができるデジタルカメラが急速に普及している。このデジタルカメラの中には、複数の光学レンズを光軸方向に沿って移動させて撮影倍率を変更するズーム機構を備えるものが知られており、ズーム鏡筒の構成の一例が特許文献１に開示されている。
【０００３】
ズーム鏡筒では、例えば複数のレンズをそれぞれに保持する複数のレンズ保持部を、カム環で光軸方向に沿って移動させるとともに、回転規制部によりレンズ保持部の回転方向の移動を規制している。この構成により光学レンズを指定位置へと移動させることができる。
【０００４】
近年では高倍率化が急速に進展しており、それに伴ってレンズ群の数が増加したり、繰出し全長が長くなることに起因してカメラが大型化する傾向にある。また、カメラの薄型化の要求も強くあり、収納時における外筺の厚みを極力薄くすることが求められている。カメラの薄型化を図るためには各鏡筒に関して光軸方向の寸法を短くし、かつ多段構成でつなげていく設計手法が考えられるが、複数のカムを交差することなく配置するためには多くの制約があり、その実現は一般に困難である。
【０００５】
このような課題を解決するための方法が様々提案されている。
例えば、特許文献２に開示されたズームレンズ鏡胴では、光軸方向に移動する少なくとも2つの第１及び第２のレンズ群と、固定筒と、中間筒ユニットと、前進筒と、移動筒を備える。ここで中間筒ユニットは固定筒に対して光軸方向に進退するように構成されており、また前進筒は、中間筒ユニットに対して光軸方向に進退し、上記第１のレンズ群を保持する。そして、移動筒は上記中間筒ユニットに対して光軸方向に進退し、上記第２のレンズ群を保持する。
【０００６】
上記中間筒ユニットは、回転筒と、第１及び第２の直進筒から構成される。この回転筒は光軸中心に回転し、筒の外面及び内面にはそれぞれ第１及び第２のカムが形成されている。上記第１の直進筒は光軸方向に沿って直進し、上記回転筒の外側に配置される。また上記第２の直進筒は光軸方向に沿って直進し、上記回転筒の内側に配置される。そして、上記回転筒が回転するとき中間筒ユニットが軸方向に移動する構成とされている。
【０００７】
上記した前進筒は、上記回転筒の第１のカムに係合する第１のカムフォロアを有するとともに上記第１の直進筒により回転が規制されて軸方向に案内される。また上記移動筒は、上記回転筒の第２のカムに係合する第２のカムフォロアを有するとともに上記第２の直進筒により回転が規制されて軸方向に案内される。
【０００８】
上記のように、特許文献１及び２に示す装置構成では、レンズ群に対して直進規制するための直進筒が設けられている。従って、直進筒を設ける場合には装置がその外周方向においてその分だけ大型化してしまうという問題がある。このような直進筒を廃止した例としては、特許文献３に開示された構成例が挙げられる。つまり、この構成では、内側に第１レンズ群及び第２レンズ群及び第３レンズ群のカム溝を持つカム筒が設けられている。そして、第３レンズ群については外周側にある固定筒から直進連動をとり、第２レンズ群については第３レンズ群より直進連動をとり、第１レンズ群については第２レンズ群より直進連動をとっている。
【特許文献１】特開２００１−３２４６６３号公報
【特許文献２】特許第３８４２０８７号明細書
【特許文献３】特開平０９−２１１２９２号公報
【発明の開示】
【発明が解決しようとする課題】
【０００９】
ところで、上記特許文献２に示す構成では、上記中間筒ユニットに複数の直進規制部が設けられることが問題となる。つまり、上記した第１の直進筒と第２の直進筒という２部材が必要であるため、レンズ鏡筒の直径が大きくなり、装置全体が大型化してしまう虞がある。
このような不具合を防止するためには、肉厚を薄くするといった対策を講じる必要が生じる。しかし、レンズ鏡筒の強度や成型材料の流動性の観点を考慮すると、そのような処方には限界がある。
【００１０】
また、上記特許文献３においては、全てのカム溝を１つのカム筒の内周部に設けているため、カム溝の配置に制約があり、例えば第３レンズ群に関して、カム筒に対して光軸方向への移動は無くバヨネット状になっている。つまりカム筒と第３レンズ群自体は略一体的に光軸方向へ進退する。
近年カメラの小型化が進んでおり、市場のニーズも小型カメラに集中している。そのため装置の大型化を伴わずに、高倍率のズームレンズ鏡筒の構成を備えることが求められている。しかし、レンズ群の移動軌跡には自由度が必要であり、特許文献３に示す構成に内在するような制限が生じると光学的配置に支障を来たす虞がある。
【課題を解決するための手段】
【００１１】
上記課題を解決するために本発明に係るレンズ鏡筒は、複数のレンズ手段及び該レンズ手段をそれぞれ保持する複数のレンズ保持手段と、第１カム筒手段及び第２カム筒手段を備えたレンズ鏡筒であって、前記第１カム筒手段の内周部に形成されたカム溝手段によって前記レンズ保持手段をレンズ鏡筒の光軸方向に移動させ、また前記第１カム筒手段の外周に形成されたカム溝手段によってさらに別のレンズ保持手段をレンズ鏡筒の光軸方向に移動させ、前記第１カム筒手段の外周に前記第２カム筒手段を配置し、該第２カム筒手段の内周部に形成されるカム溝手段によって前記第１カム筒手段を前記光軸方向に移動させるように構成する。そして、本発明では、前記第１カム筒手段の内周に配置されたレンズ保持手段及び前記第２カム筒手段には、互いに対をなして対応する被直進規制手段及び直進規制手段をそれぞれに設けることで、該レンズ保持手段の移動方向を前記光軸方向に対して平行な方向に規制し、前記第１カム筒手段の外周に配置されたレンズ保持手段及び前記第１カム筒手段の内周に配置されたレンズ保持手段には、互いに対をなして対応する被直進規制手段及び直進規制手段をそれぞれに設けることで、前記第１カム筒手段の外周に配置されたレンズ保持手段の移動方向を前記光軸方向に対して平行な方向に規制する。
【００１２】
例えば、本発明を３群構成のレンズ鏡筒に適用した実施形態において、前記第１カム筒手段としての第１カム環の内周部及び外周部には複数のレンズ手段を光軸方向に駆動させるためのカム溝がそれぞれ設けられる。つまり外周部のカム溝で第１レンズ保持手段を移動させ、内周部のカム溝を用いて第２レンズ保持手段及び第３レンズ保持手段を光軸方向に移動させることができる。その際、第１カム環の外周部に形成されたカム溝については内周部に形成されたカム溝の制約を受けない。第１カム環の外周には、これを光軸方向に移動させる第２カム筒手段として第２カム環を配置する。この第２カム環の内周には、第１カム環の内周に配置された第３レンズ保持手段に対する直進規制手段を配置することで、第２カム環により第３レンズ保持手段を直進可能状態に保持する。そして第３レンズ保持手段により第２レンズ保持手段を直進可能状態に保持し、第２レンズ保持手段により第１レンズ保持手段を直進可能状態に保持する。
【発明の効果】
【００１３】
本発明によれば、各レンズ保持手段及びこれらによって保持されるレンズ群について直進時の精度誤差を低減し、かつ専用の直進規制手段を廃止できるとともに、レンズ鏡筒の外径が大きくなることに起因する装置の大型化を防止できる。
なお、上記構成において、レンズ鏡筒の繰出し時、又はレンズ鏡筒の収納時、又はその両方において、前記直進規制手段を退避させる退避手段を第１カム筒手段に設けることが好ましい。これにより、当該直進規制手段が退避手段内へと進入することで、光軸方向における厚みの増加を防止できる。また、上記構成においてさらに、カム筒手段の外周にカム筒保護手段を設けることにより、外部からのゴミの侵入や、衝撃から内部機構を保護することができる。
【発明を実施するための最良の形態】
【００１４】
以下に、本発明の実施形態を、図示の撮影装置を例にして詳細に説明する。
図１乃至５は、本実施形態に係るレンズ鏡筒の構成例を示している。レンズ部１、３、５はそれぞれの別のレンズ保持部２、４、６によって保持されており、各レンズ保持部はカム機構及び直進規制機構を用いることでレンズ鏡筒の光軸方向に沿って直進可能な構成とされる。このレンズ鏡筒に関する構造の具体的な説明に先立ち、以下では該レンズ鏡筒を備えた撮影装置の全体像について説明する。
【００１５】
図６乃至図１０には、本発明の実施形態に係る撮影装置を備えた機器としてデジタルカメラが示されている。本実施形態に示すデジタルカメラ１２には撮影倍率を変更できるズーム機構が適用されている。図６はデジタルカメラ１２への電源供給を遮断した状態を例示した外観斜視図である。また図７はデジタルカメラ１２に電源を投入した状態を例示した外観斜視図である。図８はデジタルカメラ１２の上面図を示し、図９はデジタルカメラ１２の背面図を示し、図１０はデジタルカメラ１２底面図を示している。また図１１にはデジタルカメラ１２の要部の構成例を示している。
【００１６】
本実施形態のデジタルカメラ１２の正面には、測光及び測距を行う場合に光源を補助する補助光部１６と、被写体の構図を決めるためのファインダ１７と、ストロボ１８が設けられている。そして、撮影手段としての撮影レンズ鏡筒部２（後述の第１レンズ保持部２を総称してこう呼ぶ）が構成されている。図８に示すように、カメラ本体の上面にはレリーズボタン１３、ズームスイッチ１４、電源切換えボタン１５が配置されている。また図１０に示すように、カメラ本体の底面には三脚取付部２７、カードバッテリーカバー２８が配置されており、該カバーに覆われた内部には後述するメモリーカードドライブ（４２）及びバッテリー挿入部（不図示）が設けられている。
【００１７】
図９に示すように、カメラ本体の背面には、操作ボタン２１乃至２６が配置されており、これらを用いて使用者が様々な機能の切換えを行うことができる。そして画像表示部としてＬＣＤ（液晶式表示装置）より成るディスプレイ２０が配置され、その右上方にはファインダ接眼部１９が配置されている。使用者は操作ボタン２１乃至２６を用いてデジタルカメラ１２の動作モード、例えば撮影モード、再生モード、動画撮影モード等の選択を行うことができる。
【００１８】
ディスプレイ２０は、後述のメモリ（４０）に保存された画像データやメモリーカードから読み込んだ画像データを画面上に表示する。また、使用者が上記モードを選択した場合に、複数の撮影データを縮小してディスプレイ２０上に画面表示することもできる。
制御部はＣＰＵ（中央演算処理装置）４６、ＲＯＭ（読み出し専用メモリ）４５、ＲＡＭ（ランダムアクセスメモリ）４７を用いて構成されている。この制御部に対してバス４４を介してレリーズボタン１３、操作ボタン２１乃至２６、ディスプレイ２０、メモリ４０、メモリーカードドライブ４２等の各種構成要素が接続されている。
【００１９】
バス４４を介して制御部と接続する駆動回路４３には、ズームモーター駆動部２９、フォーカスモーター駆動部３１、シャッタ駆動部３２、絞り駆動部３５が接続されており、これらは撮影光学系の駆動部を構成する。つまり制御部から駆動回路４３に送られる制御信号に従って各々の駆動制御が行われることになる。また駆動回路４３には、ＣＣＤ（電荷結合素子）やＣＭＯＳ（相補型金属酸化膜半導体）等を用いた撮像素子３７や、ストロボ１８が接続されており、制御部からの信号によりその動作制御や発光制御が行われる。ＲＯＭ４５には上述の各機能構成要素を制御するプログラムが記憶されている。またＲＡＭ４７には各制御プログラムに必要なデータが記憶されている。
【００２０】
以上の装置構成において、使用者が電源切換えボタン１５を操作して電源を投入すると、ＣＰＵ４６はＲＯＭ４５から必要な制御プログラムを読み出して該プログラムに従って初期動作を開始させる。つまり、ＣＰＵ４６を含む制御部は、後で詳述する撮影レンズ鏡筒を所定の撮影可能領域に移動させた上で、撮影機能を立ち上げて、撮影スタンバイ状態へと移行させる。
【００２１】
その後、使用者が撮影を行うためにレリーズボタン１３を押すと、撮像素子３７により被写体の明るさを検知し、制御部はその測光値に基づいて絞り値やシャッタスピードを決定し、ストロボ１８を発光させるかどうかを判断する。また、予め操作ボタン２１によって使用者がストロボ１８を強制的に発光させるか、又はストロボ１８を発光させないかを選択することもできる。次に図示しない測距部により測距を行い、被写体との距離が測定される。そして制御部がバス４４、駆動回路４３を介してフォーカスモーター駆動部３１を駆動することにより所定のフォーカス位置へとフォーカス部３０を移動させる。次に制御部がバス４４、駆動回路４３を介してシャッタ駆動部３２を制御し、シャッタ部３３の開閉を行う。こうして所望の画像を撮像素子３７に取り込むことができる。
【００２２】
撮像素子３７には、露光制御値に基づいて入射した光の光量に応じた電荷が蓄積され、その電荷が画像信号となって、後段のアナログ信号処理部３６へと出力される。なお、このアナログ信号処理部３６とこれ以降の回路部が画像信号処理部を構成している。
アナログ信号処理部３６では、取り込まれた画像データに対して所定のアナログ処理を施し、その処理結果を後段のＡ／Ｄ変換部３８に出力する。Ａ／Ｄ変換部３８では取り込まれたアナログデータをデジタルデータに変換する。このデジタルデータがデジタル信号処理部３９に送出されて、ここでデジタルデータの処理が行われる。最終的にデジタルデータはメモリ４０に記憶されることになる。
【００２３】
メモリ４０に一旦記憶されたデータは、操作ボタン２２の操作に従って圧縮伸張部４１に送られる。ここでＪＰＥＧやＴＩＦＦ等の形式に応じた圧縮処理等を施したデータはメモリーカードドライブ４２に出力された後、メモリーカードに記憶される。
またメモリ４０を持たないデジタルカメラの場合には、デジタル信号処理部３９で処理されたデジタルデータを圧縮伸張部４１に出力することで、圧縮処理後のデータがメモリーカードドライブ４２を介してメモリーカードに記憶されることになる。
【００２４】
メモリ４０に記憶された画像データやメモリーカードに記憶されている画像データには、圧縮伸張部４１によって伸張処理が施され、その画像データはバス４４を介してディスプレイ２０に表示させることができる。このディスプレイ２０上の画像を使用者が見ることができ、例えばその画像が不要であると使用者が判断した場合、操作ボタン２３の操作によって対応する画像データを消去することができる。
カメラ本体の上面に配置されたズームスイッチ１４を使用者が操作すると、その操作指令を制御部が受けて、駆動回路４３を介してズームモーター駆動部２９を制御することにより、撮影レンズ鏡筒２をその光軸方向に移動させることができる。また、ディスプレイ２０上に表示されている記憶画像に対して、使用者がズームスイッチ１４の操作を行うことで、その拡大表示及び縮小表示といった、いわゆるデジタルズームを行うことができる。
【００２５】
次に、本実施形態に係るデジタルカメラ１２に備えられた撮影レンズ鏡筒２の構成とこれに具備されている各レンズ群の構成について図１乃至５を用いて詳説する。
図１はカメラが撮影状態にある時の鏡筒の断面図を示している。第１レンズ部１を第１レンズ保持部２が保持しており、第２レンズ部３を第２レンズ保持部４が保持している。また、第３レンズ部５を第３レンズ保持部６が保持している。なお各レンズ部については単レンズ又はレンズ群によって構成される。複数のカム溝を有する第１カム筒部７の外周には第１レンズ部１が配置され、第１カム筒部７の内周には第２レンズ保持部４及び第３レンズ保持部６が配置されている。
【００２６】
図２は背面から見たレンズ鏡筒の斜視図であり、図３は第２レンズ保持部４と第３レンズ保持部６の関係を示した斜視図である。図４は第１レンズ保持部２と第２レンズ保持部４の関係を示した斜視図であり、図５は第１カム筒部７と第２レンズ保持部４と第３レンズ保持部６との関係を示した斜視図である。
【００２７】
図１及び図５に示すように、第１カム筒部７の外周部には第１カム溝部７ｃが形成されている。第１レンズ保持部２に一体で具備されている第１追従部２ｂ（図４参照）が第１カム溝部７ｃに係合して追従することによって、第１レンズ保持部２がレンズ鏡筒の光軸方向に沿って進退し、つまり前後に移動する。
【００２８】
また図１に示すように、第１カム筒部７の内周には第２カム溝部７ａ及び第３カム溝部７ｂが形成されている。つまり、第２カム溝部７ａには第２レンズ保持部４に具備されている第２追従部４ｃ（図３参照）が係合して追従し、第３カム溝部７ｂには第３レンズ保持部６に具備されている第３追従部６ｃ（図３参照）が係合して追従する。こうして、第２レンズ保持部４及び第３レンズ保持部６が光軸方向に沿って前後に移動する。
【００２９】
本実施形態では、第１追従部２ｂ及び第１カム溝部７ｃが光軸周りに６０°の角度間隔をおいて６箇所に配置されている。また第２追従部４ｃ及び第２カム溝部７ａ、第３追従部６ｃ及び第３カム溝部７ｂはそれぞれ光軸回りに１２０°の角度間隔をおいて３箇所に配置されている。
【００３０】
図５に示すように第１カム筒部７は追従部７ｅを具備しており、本例では第１カム筒部７の外周部に設けられた追従部７ｅが複数の突起部として光軸回りに所定の角度間隔をおいて配置されている。また、図１に示すように、第１カム筒部７の外周には、固定筒としての第２カム筒部８が配置されている。その内周に第１カム筒部７の追従部７ｅに対応したカム溝部８ａが設けられており、このカム溝部８ａには第１カム筒部７の追従部７ｅが係合して追従する。第２カム筒部８の外周にはカム筒駆動部９が配置されており、このカム筒駆動部９の回転力により第１カム筒部７が回転することで第１カム筒部７そのものが光軸方向に沿って前後に移動する。カム筒駆動部９については上記ズームモーター駆動部２９の回転力をギア連結機構で伝達することによって回転する。
【００３１】
図２に示すように第２カム筒部８の内周には、第３レンズ保持部６に対する直進規制部８ｂが具備されており、当該部は第３レンズ保持部６に具備されている被直進規制部６ａをガイドする直進案内部としての役目を有する。なお被直進規制部及び直進規制部は、互いに対をなして動作する。なお本例では図１及び図２に示すように直進規制部８ｂが光軸に平行な方向に延びる溝として第２カム筒部８の内周面に形成されている。また、図３に示すように、被直進規制部６ａが第３レンズ保持部６のフランジ部から外方に突出した突起部として形成されている。
【００３２】
次に図３に示すように、第３レンズ保持部６には第２レンズ保持部４に対する直進規制部６ｂが具備されており、当該部は第２レンズ保持部４に具備されている被直進規制部４ｂをガイドする直進案内部としての役目を有する。なお本例では図３及び図４に示すように被直進規制部４ｂが切欠部として第２レンズ保持部４に形成され、これに挿合する形状をもった直進規制部６ｂが第３レンズ保持部６に付設されている。
【００３３】
そして図４に示すように、第２レンズ保持部４には第１レンズ保持部２に対する直進規制部４ａが具備されており、当該部は第１レンズ保持部２に具備されている被直進規制部２ａをガイドする直進案内部としての役目を有する。なお本例では図３に示すように、直進規制部４ａが、第２レンズ保持部４の一端部から外周方向に向かって突設され、かつ光軸回りに略１２０°の角度間隔をもって配置された突出部として形成されている。また、図１及び図４に示すように、これらに対応する溝部として光軸に平行な方向に延びる被直進規制部２ａが第１レンズ保持部２に形成されている。
【００３４】
以上のように各保持部及びカム筒部が連結されることで、第２カム筒部８によって第３レンズ保持部６が直進可能な状態で保持される。また、第３レンズ保持部６によって第２レンズ保持部４が直進可能な状態で保持される。また、第２レンズ保持部４によって第１レンズ保持部２が直進可能な状態で保持される。すなわち従来技術の構成のように専用の直進規制部材を用いることなく、カム筒駆動部９の回転力によって、全てのレンズ群の移動方向が光軸に沿う直進方向に規制された状態でこれらを光軸方向に沿って前後に移動させることができる。
【００３５】
図１に示すように、カム筒駆動部９の外周面側には鏡筒カバー部１０が配置され、当該部によってカム筒駆動部９を保持するとともに、鏡筒全体を保護している。また、第１カム筒部７の外周面側にはカム筒保護部１１が配置されており、レンズ鏡筒の繰出し時に外部から第１カム筒部７が見えないように隠蔽するとともに当該部を保護している。
【００３６】
第２レンズ保持部４が第１カム筒部７の内周側に配置され、第１レンズ保持部１が第１カム筒部７の外周側に配置されることから、第１レンズ保持部２に対する直進規制部４ａの配置に工夫が必要となる。つまり直進規制部４ａが常に第１カム筒部７の光軸方向において前方に存在するのであれば、なんら問題は生じない。しかし、撮影レンズ鏡筒の収納時に直進規制部４ａが第１カム筒部７に対して光軸方向の前方に配置される構成とした場合には、その分、撮影レンズ鏡筒の光軸方向における厚みが大きくなってしまう。
【００３７】
そこで図５に示すように、第１カム筒部７に直進規制部４ａの退避部７ｄ（切欠部を参照）を設け、撮影レンズ鏡筒の収納時において直進規制部４ａが退避部７ｄに挿入されて受け入れられた状態にすることが望ましい。これによって、直進規制部４ａは第１カム筒部７よりも光軸方向において前方に突出することが無くなり、撮影レンズ鏡筒の厚みを薄くできる。
【００３８】
図１２は、本発明の鏡筒機構を具備する撮影装置としてのデジタルカメラの動作についてその電源投入時点から撮影終了時点までの流れを例示したフローチャートである。
先ず、ステップＳ１２０１にて使用者が撮影装置の電源を投入した後、次ステップＳ１２０２においてＣＰＵ４６がズームモーター駆動部２９に指令を送り、鏡筒駆動モーターをＣＷ（時計回り方向に）回転させる。その後、ＣＰＵ４６の制御下で所定の動作を行い、ステップＳ１２０３にて撮影レンズ鏡筒部２が撮影位置に移動したことを確認した上で当該部の動作を停止させる。このとき、図６に示す状態から図７に示す状態へとレンズ鏡筒の状態が変化する。
【００３９】
次ステップＳ１２０４にて使用者がレリーズボタン１３を押してスイッチをＯＮ状態にした後で、ステップＳ１２０５にて測光部が測光を行い、被写体の輝度情報を得る。次ステップＳ１２０６では、得られた輝度情報が既定の輝度よりも高輝度であるか否かを制御部が判定する。その結果、得られた輝度が既定の輝度よりも高い場合にはステップＳ１２０７に進み、ＣＰＵ４６の制御下で絞り部３４を光軸に近づく方向へと侵入させ、入射光量を変化させる。他方、得られた輝度が既定の輝度よりも低い場合には、絞り部３４の動作制御は行わず当該部を光軸から遠ざかる方向に退避させた状態にしておく。
【００４０】
その後、ステップＳ１２０８ではフォーカス部３０を作動させて、これを被写体のピントが合う位置へと移動させる。そしてステップＳ１２０９に進み、当該位置にて撮像素子３７により画像の取り込みを開始する。次ステップＳ１２１０にてシャッタ部３３を開状態から閉状態へ移動させて入射光量を低減させ、次ステップＳ１２１１で画像取り込みが終了する。その後のステップＳ１２１２では絞り部３４を光軸から離れる方向へと退避させ、次ステップＳ１２１３にてフォーカス部３０を初期位置に移動させることで一連の動作が終了する。
【００４１】
上記した構成によれば、専用の直進規制部を使用する必要がなく、複数のレンズホルダー同士で直進規制が行われるため、直進性能を高めるとともに、部品コストを低減することができる。また、リング状の直進規制部を配置する必要がないので撮影レンズ鏡筒の直径も小さくなり、従って撮影装置の小型化を実現できる。
【図面の簡単な説明】
【００４２】
【図１】本発明の一実施形態におけるレンズ鏡筒の繰出し時の状態を示す断面図である。
【図２】本発明の一実施形態におけるレンズ鏡筒を後方から見た斜視図である。
【図３】本発明の一実施形態におけるレンズ鏡筒の第２レンズ保持部と第３レンズ保持部との関係を示す斜視図である。
【図４】本発明の一実施形態におけるレンズ鏡筒の第１レンズ保持部と第２レンズ保持部との関係を示す斜視図である。
【図５】本発明の一実施形態におけるレンズ鏡筒のカム筒とレンズ保持部との関係を示す斜視図である。
【図６】本発明の一実施形態におけるレンズ鏡筒を有する撮影装置の電源遮断状態を示す斜視図である。
【図７】本発明の一実施形態におけるレンズ鏡筒を有する撮影装置の電源投入状態を示す斜視図である。
【図８】本発明の一実施形態におけるレンズ鏡筒を有する撮影装置の上面図である。
【図９】本発明の一実施形態におけるレンズ鏡筒を有する撮影装置の背面図である。
【図１０】本発明の一実施形態におけるレンズ鏡筒を有する撮影装置の底面図である。
【図１１】本発明の一実施形態におけるレンズ鏡筒を有する撮影装置としてのデジタルカメラの構成例についてその要部を示すブロック図である。
【図１２】本発明の一実施形態におけるレンズ鏡筒を有する撮影装置としてのデジタルカメラについて、その電源投入時点から撮影終了時点までの処理の流れを例示したフローチャートである。
【符号の説明】
【００４３】
１    第１レンズ部
２    第１レンズ保持部
２ａ  被直進規制部
２ｂ  第１追従部
３    第２レンズ部
４    第２レンズ保持部
４ａ  直進規制部
４ｂ  被直進規制部
４ｃ  第２追従部
５    第３レンズ部
６    第３レンズ保持部
６ａ  被直進規制部
６ｂ  直進規制部
６ｃ  第３追従部
７    第１カム筒部
７ａ  第２カム溝部
７ｂ  第３カム溝部
７ｃ  第１カム溝部
７ｄ  退避部
７ｅ  追従部
８    第２カム筒部
８ａ  カム溝部
８ｂ  直進規制部
９    カム筒駆動部
１０  鏡筒カバー部
１１  カム筒保護部
１２  撮影装置（デジタルカメラ）
【図１】
2010156870.tif 000003
【図２】
2010156870.tif 000004
【図３】
2010156870.tif 000005
【図４】
2010156870.tif 000006
【図５】
2010156870.tif 000007
【図６】
2010156870.tif 000008
【図７】
2010156870.tif 000009
【図８】
2010156870.tif 000010
【図９】
2010156870.tif 000011
【図１０】
2010156870.tif 000012
【図１１】
2010156870.tif 000013
【図１２】
2010156870.tif 000014